(57)【要約】【課題】簡単な構成で、カード等の硬い原稿を載置する場合であっても、給送時の原稿の傾きを低減できる自動原稿搬送装置を提供する。【解決手段】ＡＤＦ５は、搬送経路５５の中途部近傍に開閉可能に設けられ、開いた状態でカードＣ等を積載する手差しトレイ６１と、手差しトレイ６１に積載されたカードＣ等を中途部の原稿搬送方向下流側の手差し搬送経路６４に向けて給送する手差し給送口６２と、を備える。そして、手差しトレイ６１には、少なくとも所定の幅をもつシート原稿Ｓを載置する原稿載置面７１に、所定の幅よりも幅が狭いカードＣ等の幅方向間距離と略一致する原稿載置幅をもつカード載置部７２が設けられている。【選択図】図６
2019137540.tif 000002
【特許請求の範囲】
【請求項１】
搬送経路の中途部近傍に開閉可能に設けられ、開いた状態で原稿を積載する原稿トレイと、該原稿トレイに積載された原稿を前記中途部の原稿搬送方向下流側の前記搬送経路に向けて給送する給送口と、を備える自動原稿搬送装置において、
前記原稿トレイには、少なくとも所定の幅をもつ原稿を載置する原稿載置面に、前記所定の幅よりも幅が狭い原稿の幅方向間距離と略一致する原稿載置幅をもつ段差部が設けられていることを特徴とする自動原稿搬送装置。
【請求項２】
請求項１に記載の自動原稿搬送装置において、
前記原稿トレイに載置される原稿にはＩＣチップが設けられたカードを含み、該カードのＩＣチップに記録された情報を読み取る手段を、前記原稿トレイに有することを特徴とする自動原稿搬送装置。
【請求項３】
請求項１又は２に記載の自動原稿搬送装置において、
前記段差部に載置される原稿にはＩＣチップが設けられたカードを含み、該カードのＩＣチップに記録された情報を読み取る手段を、前記原稿トレイに内蔵していることを特徴とする自動原稿搬送装置。
【請求項４】
請求項１乃至３のいずれか一に記載の自動原稿搬送装置において、
前記原稿トレイが着脱可能に構成されていることを特徴とする自動原稿搬送装置。
【請求項５】
請求項１乃至４のいずれか一に記載の自動原稿搬送装置において、
前記段差部の原稿の載置位置には、載置する原稿の種別を示す文字や記号を形成する線状の凹部を有することを特徴とする自動原稿搬送装置。
【請求項６】
請求項１乃至４のいずれか一に記載の自動原稿搬送装置において、
前記段差部の原稿の載置位置には、載置する原稿の種別を示す文字や記号が形成されたシールが貼り付けられていることを特徴とする自動原稿搬送装置。
【請求項７】
請求項１乃至６のいずれか一に記載の自動原稿搬送装置において、
前記少なくとも所定の幅をもつ原稿の原稿搬送方向を規制する規制部材、及び前記原稿トレイの原稿搬送方向の後端位置は、前記段差部の原稿搬送方向の後端位置と略一致していることを特徴とする自動原稿搬送装置。
【請求項８】
請求項１乃至７のいずれか一に記載の自動原稿搬送装置において、
原稿を載置する前記段差部の少なくともいずれかの端部近傍と、前記段差部が設けられていない前記原稿載置面の一部とを跨いで形成された凹部又は孔部を有することを特徴とする自動原稿搬送装置。
【請求項９】
請求項８に記載の自動原稿搬送装置において、
前記凹部又は前記孔部は、前記段差部の原稿搬送方向の後端側に形成されていることを特徴とする自動原稿搬送装置。
【請求項１０】
請求項１乃至９のいずれか一に記載の自動原稿搬送装置において、
前記段差部の原稿の載置位置には、載置する原稿の搬送方向を示す矢印記号を形成する線状の凹部を有することを特徴とする自動原稿搬送装置。
【請求項１１】
請求項１乃至９のいずれか一に記載の自動原稿搬送装置において、
前記段差部の原稿の載置位置には、載置する原稿の搬送方向を示す矢印記号が形成されたシールが貼り付けられていることを特徴とする自動原稿搬送装置。
【請求項１２】
請求項１乃至１１のいずれか一に記載の自動原稿搬送装置において、
前記段差部の原稿搬送方向の後端部には、原稿の落下を抑制する支持部を有していることを特徴とする自動原稿搬送装置。
【請求項１３】
請求項１２に記載の自動原稿搬送装置において、
前記支持部は、前記段差部が設けられていない前記原稿載置面を原稿搬送方向の後端側に残すことで形成されていることを特徴とする自動原稿搬送装置。
【請求項１４】
読み取る原稿を自動搬送する自動原稿搬送手段を備える原稿読取装置において、
前記自動原稿搬送手段として、請求項１乃至１３のいずれか一に記載の自動原稿搬送装置を備えることを特徴とする原稿読取装置。
【請求項１５】
原稿を自動搬送する自動原稿搬送手段を備えた画像形成装置において、
前記自動原稿搬送手段として、請求項１乃至１３のいずれか一に記載の自動原稿搬送装置を備えることを特徴とする画像形成装置。
【発明の詳細な説明】
【技術分野】
【０００１】
本発明は、自動原稿搬送装置、原稿読取装置、及び画像形成装置に関するものである。
【背景技術】
【０００２】
従来から、搬送経路の中途部近傍に開閉可能に設けられ、開いた状態で原稿を積載する原稿トレイと、原稿トレイに積載された原稿を中途部の原稿搬送方向下流側の搬送経路に向けて給送する給送口と、を備える自動原稿搬送装置が知られている。
【０００３】
例えば、特許文献１には、原稿トレイに載置する原稿がカード等の硬く（固い）、幅が狭いものであっても、２つの移動可能な規制部材（ガイド）で挟持して、原稿搬送方向に対して傾かないように規制しつつ、原稿を給送口から給送するものが記載されている。
【発明の概要】
【発明が解決しようとする課題】
【０００４】
しかし、従来の原稿トレイでは、規制部材を原稿の幅に合わせるが、実際には操作性を向上させるために規制部材が変位し易い。
このため、特に載置する原稿がカード等の硬いものであると、操作者の手のぶれ等で規制部材が簡単に変位して原稿が傾いて載置されてしまい、載置された原稿が傾いて給送される場合があった。
【課題を解決するための手段】
【０００５】
上述した課題を解決するために、請求項１に記載の発明は、搬送経路の中途部近傍に開閉可能に設けられ、開いた状態で原稿を積載する原稿トレイと、該原稿トレイに積載された原稿を前記中途部の原稿搬送方向下流側の前記搬送経路に向けて給送する給送口と、を備える自動原稿搬送装置において、前記原稿トレイには、少なくとも所定の幅をもつ原稿を載置する原稿載置面に、前記所定の幅よりも幅が狭い原稿の幅方向間距離と略一致する原稿載置幅をもつ段差部が設けられていることを特徴とする。
【発明の効果】
【０００６】
本発明によれば、簡単な構成で、カード等の硬い原稿を載置する場合であっても、給送時の原稿の傾きを低減できる自動原稿搬送装置を提供できる。
【図面の簡単な説明】
【０００７】
【図１】一実施形態に係る複写機の概略構成図。
【図２】画像形成装置に備えた読取装置の概略構成図。
【図３】カード挿入口、及び手差しトレイの視認性の説明図。
【図４】従来の主な不具合の説明図。
【図５】実施例１の手差しトレイと、従来の手差しトレイの説明図。
【図６】実施例１の手差しトレイの載置面に設けたカード載置部等の配置説明図。
【図７】実施例１の第一段差部と原稿載置面を跨ぐように設けた第二段差部の説明図。
【図８】指引掛け部又は孔部の配置方法の説明図。
【図９】手差しトレイ上に設けるサイドフェンス及びカード載置部の配置位置の別例の説明図。
【図１０】カードに設けられたＩＣチップを読み取るチップ読取装置を手差しトレイに設けた構成の説明図。
【図１１】カード載置部の載置位置に、載置する原稿の種別を示す文字や矢印記号を形成する線状の凹部を設けた例の説明図。
【図１２】カード載置部の載置位置に、原稿搬送方向を示す矢印記号を形成する線状の凹部を有する構成の説明図。
【図１３】カード載置部の載置位置に、カード等を載置するときの支持の必要性についての説明図。
【図１４】カード載置部の原稿搬送方向の後端側に支持部を設ける例の説明図。
【発明を実施するための形態】
【０００８】
以下、本発明を適用した自動原稿搬送装置（以下、単に「ＡＤＦ」とも称する。）を備えた画像形成装置として、電子写真方式の複写機（以下、複写機１という）の一実施形態について説明する。
図１は、本実施形態に係る複写機１の概略構成図である。
本実施形態の複写機１は、主に、画像形成部３と、画像読取部４と、ＡＤＦ５とから構成されている。本実施形態の読取装置６は、主に、画像読取部４とＡＤＦ５とから構成されている。
【０００９】
本実施形態の画像形成部３は、例えば、潜像形成手段としての露光ユニットと、複数の潜像担持体としての感光体ドラムと、シアン（Ｃ）、マゼンタ（Ｍ）、イエロー（Ｙ）、ブラック（Ｋ）の４色のトナーを用いる現像装置と、中間転写部と、二次転写部と、定着部などを備えた電子写真方式の画像形成装置である。なお、インクジェット方式などの他の方式の画像形成装置であっても良い。
【００１０】
画像形成部３は、読取装置６の画像読み取りによって得られる画像データや、パソコン等の外部装置から送信される画像データに基づき、例えば、露光ユニットによって各色の感光体ドラムを露光して各感光体ドラム上に静電潜像を形成し、各色の現像装置で各感光体ドラム上の潜像にトナーを供給して現像する。また、画像形成部３は、各色の感光体ドラム上のトナー像を中間転写部の中間転写ベルトに互いが重なるように一次転写した後、二次転写部で記録材である記録紙上に二次転写し、定着部で記録紙上のトナー像を加熱及び加圧して定着させ、カラー画像を形成する。
【００１１】
図２は、画像形成装置に備えた読取装置６の概略構成図である。そして、図２（ａ）がフラットベッドスキャナモードと、ＤＦスキャナモードの原稿トレイ５１（原稿テーブル）上に積載された原稿束を読み取る１パス両面同時読取の概要説明図、図２（ｂ）がＤＦスキャナモードの１パス両面同時読取の概要説明図である。
読取装置６は、自動搬送中に原稿画像を読み取るＤＦスキャナモード（搬送原稿読取りモード）と、平坦なコンタクトガラス上に載置された原稿の画像を読み取るフラットベッドスキャナモード（載置原稿読取りモード）とに切替え可能に構成されている。
また、ＤＦスキャナモードには、原稿トレイ５１上に積載された原稿束を読み取る１パス両面同時読み取りと、手差しトレイ(手差しテーブル)６１上に積載（載置）したカード原稿等（以下、適宜、カードＣという。）の折り曲げられないシート原稿Ｓを搬送するストレート搬送して読み取るストレート１枚手差し読み取りがある。
【００１２】
フラットベッドスキャナモードにおいて、画像読取部４は、フラットベッドコンタクトガラス４１上の原稿（例えば原稿シート、厚紙、本等）の画像面に光を照射して、その画像面からの反射光を画像信号に変換することにより原稿画像を読み取ることができる。
ここで、原稿画像を読み取るときには、図中左よりに移動している表面読取用ＣＩＳ４５ａがフラットベッドコンタクトガラス４１下をガイド４６にガイドされて移動することで読み取りが行われる。
【００１３】
また、ＤＦスキャナモードの、シート載置台である原稿トレイ５１上に積載された原稿束を読み取る１パス両面同時読取においては、次のように読取が行われる。
ＡＤＦ５は、エンドフェンスにより幅方向が規制された原稿トレイ５１上に積載された原稿束からシート原稿Ｓを１枚ずつ、第一給送口５２の入口に配置された給紙・分離機構５４で分離して原稿搬送経路５５内に搬入し、原稿搬送経路５５に沿って搬送する。そして、その搬送中、シート原稿Ｓの表面側が、その搬送方向の上流側部分から順次部分的に画像読取部４の表面側コンタクトガラス４２ａに対面し、表面読取用ＣＩＳ４５ａにより読み取られるようになっている。一方、シート原稿Ｓの裏面側が、その搬送方向の上流側部分から順次部分的に画像読取部４の裏面側コンタクトガラス４２ｂに対面し、裏面読取用ＣＩＳ４５ｂにより読み取られる。
【００１４】
具体的には、まず、原稿トレイ５１に原稿を載置し、シート原稿Ｓを第一センサ５３が検知する。操作パネル２００でスキャンを選択することで給紙・分離機構５４により原稿トレイ５１に載置された原稿から最上位のシート原稿Ｓが呼び出され、シート原稿Ｓは１枚に分離されローラで搬送される。第一原稿搬送機構２０３及び第二原稿搬送機構２０４で原稿が搬送されつつ、表面読取用ＣＩＳ４５ａと裏面読取用ＣＩＳ４５ｂで画像が読取られ、第三原稿搬送機構２０５で搬送され、最終的に排紙トレイ５６上に原稿が排紙される。
【００１５】
一方、ＤＦスキャナモードの、手差しトレイ６１上に積載したカードＣ等の折り曲げられないシート原稿Ｓを搬送するストレート搬送して読み取るストレート１枚手差し読取においては、次のように読取が行われる。
ＡＤＦ５は、原稿搬送経路５５の中途部近傍に開閉可能に設けられた手差しトレイ６１上に積載されたカードＣ等の折り曲げられないシート原稿Ｓを手差し給送口６２から手差し原稿搬送経路６４内に搬入し、手差し原稿搬送経路６４（原稿搬送経路５５の中途部の原稿搬送方向下流側の略同一平面上にあるストレート部分）に沿って搬送する。そして、その搬送中、シート原稿Ｓの表面側が、その搬送方向の上流側部分から順次部分的に画像読取部４の表面側コンタクトガラス４２ａに対面し、表面読取用ＣＩＳ４５ａにより読み取られるようになっている。一方、シート原稿Ｓの裏面側が、その搬送方向の上流側部分から順次部分的に画像読取部４の裏面側コンタクトガラス４２ｂに対面し、裏面読取用ＣＩＳ４５ｂにより読み取られる。
【００１６】
具体的には、まず、手差しトレイ６１上の原稿を手差し給送口６２に挿入することで手差し検知センサ６３が原稿を検知する。その約１秒後に第二原稿搬送機構２０４のローラが微小量回転し、原稿がニップ部で挟持され、原稿がプレフィードされる。そして、操作パネル２００でスキャンを選択することで第二原稿搬送機構２０４が回転し原稿を送る。表面読取用ＣＩＳ４５ａと裏面読取用ＣＩＳ４５ｂで原稿の両面が読取られた後、第三原稿搬送機構２０５で原稿が搬送され、排紙トレイ５６上に原稿が排紙される。
ここで、手差しトレイ６１には、図１の斜視図に示すように手差しトレイ６１を閉じた状態でもカードＣ等を挿入するためのカード挿入口７を設けており、手差しトレイ６１を開けなくてもカードＣ等を給送することが可能に構成されている。
【００１７】
ここで、本実施形態の読取装置６に有したＡＤＦ５のように、手差しトレイ６１上に積載したカードＣ等の折り曲げられないシート原稿Ｓを搬送するストレート搬送する従来の構成では、以下のような問題があった。
例えば、特許文献１には、原稿トレイに載置する原稿が、カード等の硬く（固い）、幅が狭いものであっても、２つの移動可能な規制部材（ガイド）で挟持して、原稿搬送方向に対して傾かないように規制しつつ、原稿を給送口から給送するものが記載されている。
しかし、従来の原稿トレイでは、規制部材を原稿の幅に合わせるが、実際には操作性向上のため規制部材が変位し易く操作者の手のぶれ等で簡単に変位してしまうとともに、カード等の硬く、幅が狭い原稿を載置するときの視認性も悪く、原稿が傾いて給送される場合があった。
【００１８】
また、このように原稿が傾いて給送されることを抑制するため、従来は、その構成が複雑になる傾向があった。
例えば、特許文献２には、サイズの異なる原稿が入り混じった異型原稿であっても正規の搬送方向に沿って搬送できる読取装置を提供する目的で、次のような斜行矯正部材を備える構成が記載されている。
原稿搬送路は、その一部に画像読取手段による画像の走査を許容する被走査部を有すると共に、被走査部よりも上流側に設けられ原稿の搬送方向と直交する方向に移動して原稿の斜行を搬送方向と平行な方向に矯正する斜行矯正部材である。
しかし、この特許文献２に記載された構成では、斜行矯正部材に用いる部品点数が多くなり、なおかつ矯正するために付勢部材や電動モータなどの駆動部品が必要となる。つまり、簡易な構成とすることができない。
【００１９】
また、近年、顧客訪問活動等において、特に医療系業務で診察券や身分証明書などのプラスチックカードのスキャンを要望する声が高まってきた。
この要望を受け、発明者らは、次の２つのコンセプトで開発を行っていた。
（１）「ストレート１枚手差し通紙」機能
大事な原稿を曲げずにスキャンできる。つまり、原稿給送時に手差しトレイのサイドフェンスを用いることで原稿が傾くことなくスキャンできる点。
（２）「１パス両面同時読取」機能
曲がらない原稿も、フラットベッドコンタクトガラスを露出させるために圧板を開けずに、１回で両面スキャンできる点。
【００２０】
しかし、上記「（１）」に関して、従来の構成では次のようなメリットと、デメリットが生じることが分かった。
図３は、カード挿入口７、及び手差しトレイ６１の視認性の説明図であり、図３（ａ）がカード挿入口７の説明図、図３（ｂ）が手差しトレイ６１の説明図である。図４は、従来の主な不具合の説明図であり、図４（ａ）がカード挿入口７に関する説明図、図４（ｂ）は、手差しトレイ６１を開けた場合のカード載置位置に関する説明図、図４（ｃ）が手差しトレイを開けた場合の傾きに関する説明図である。ここで、各図では、本実施形態の構成部品と同様な部品については、特に区別する必要が無い限り、従来構成でも同一の符号を付している。
【００２１】
カードＣ等をスキャンする方法には次の二通りがある。
（１−１）
図３（ａ）に示すように手差しトレイ６１を開けずに、カードＣを手差しトレイに設けたカード挿入口７に挿入する方法。
メリット：手間がかからない。
デメリット：図３（ａ）に示すように、スキャン又は操作時に複写機１の正面に立つユーザの立ち位置からは、側面に配置されることが多いカード挿入口７の視認性が悪く、カードＣ等の原稿が傾いたまま搬送される恐れがある。また、図４（ａ）に示すように、カード挿入口７を設けた手差しトレイ６１の厚さが薄い場合が多く、カードＣが傾いたまま給送される場合がある。これは、カード挿入口７をカードＣの幅程度に管理したとしても搬送方向に対して傾けることができてしまうためである。手差しトレイ６１の厚さを厚くすると手差しトレイ６１が重くなって操作性が悪くなったり、回動部の強度の増強が必要になったりする等のデメリットがあるため、この方法でカードＣ等の原稿の傾きを抑えることは困難である。
【００２２】
（１−２）
図３（ｂ）に示すように、手差しトレイを開けて、サイドフェンスを原稿の大きさに調整してからカードＣを挿入口に挿入する方法。
メリット：カードＣの傾きを抑制できる。
デメリット：図３（ｂ）に示すように、スキャン又は操作時に複写機１の正面に立つユーザの立ち位置からは、側面に配置されることが多い手差しトレイの視認性が悪く、また手差しトレイを開けサイドフェンス幅を調整する動作が必要。また、実際にはサイドフェンスの操作性向上のため変位しやすくなっており、図４（ｃ）に示すように、手のぶれ等で簡単に変位してしまい、カードＣの傾きが十分に抑制されない場合があった。また、図４（ｂ）に示すように、カードＣをどのように設置すればよいのか視認性もよくない。
ここで、手差しトレイ６１を開く方法は、図３（ｂ）に円弧状の矢印で示すように手差しトレイ下部に設けた軸を回転軸として、手差しトレイ６１上部を回動させながら開く構成を採用できる。
【００２３】
また、上記「（２）」に関して、従来の構成では次のようなメリットと、デメリットが生じることが分かった。
図３（ｂ）に示すように、手差しトレイを開けて、サイドフェンスを原稿の大きさに調整してからカードＣを挿入口に挿入する方法。
メリット：手差しトレイ６１を開けると対象原稿は、読取可能最大サイズ、例えば最大Ａ４サイズまで対応するため、カード挿入口７から挿入するカードＣ幅よりも広い。
デメリット：手差しトレイを開けた時にサイドフェンスが最大まで開いていたりすると、例えば、本来であればカードＣは中央に挿入しなければならない場合であっても、ユーザがぱっと見てカードＣをどこに挿入するのか直観的にわかりづらい。また、上述したように、実際にはサイドフェンスの操作性向上のため変位しやすくなっており、手のぶれ等で簡単に変位してしまい、カードＣの傾きが十分に抑制されない場合があった。
【００２４】
以下、上述した主な不具合や、詳しくは後述する他の不具合を解決するために発明者らが見出した手差しトレイ６１の構成について、複数の実施例を挙げて説明する。
（実施例１）
まず、本実施形態のＡＤＦ５（読取装置６）に設けた手差しトレイ６１の実施例１について、図を用いて説明する。
図５は、本実施例の手差しトレイ６１と、従来の手差しトレイの説明図であり、図５（ａ）が本実施例の手差しトレイの斜視説明図、図５（ｂ）が本実施例の手差しトレイの上面説明図、図５（ｃ）が本実施例の手差しトレイ６１上の操作スペースの説明図である。また、図５（ｄ）が従来構成の手差しトレイの斜視説明図、図５（ｅ）が従来構成の手差しトレイの上面説明図、図５（ｆ）が従来構成の手差しトレイ上の操作スペースの説明図である。図６は、本実施例の手差しトレイ６１の載置面に設けたカード載置部（段差部、凹み部）７２等の配置説明図であり、図６（ａ）が上面配置説明図、図６（ｂ）が図６（ｃ）に示すカード載置部７２近傍の断面位置の説明図、図６（ｃ）が図６（ｂ）に示した断面位置近傍のカード載置部７２近傍の説明図である。
【００２５】
図７は、本実施例のカード載置部７２と原稿載置面７１を跨ぐように設けた指引掛け部（第二段差部）７３の説明図であり、図７（ａ）が円弧状の断面を有した穴形状とした例の説明図、図７（Ｂ）が矩形状の断面を有した穴形状とした例の説明図である。図８は、指引掛け部７３又は孔部の配置方法の説明図であり、図８（ａ）がカード載置部７２の原稿搬送方向の後端側に設けた場合、図８（ｂ）がカード載置部７２の原稿搬送方向の前端側に設けた場合の説明図である。図９は、手差しトレイ６１上に設ける手差しサイドフェンス６５及びカード載置部７２の配置位置の別例の説明図である。ここで、各図では、本実施例の構成部品と同様な部品については、特に区別する必要が無い限り、従来構成でも同一の符号を付している。
【００２６】
本実施例の手差しトレイ６１、及び従来構成の手差しトレイを開く方法は、いずれも図５（ａ）、図５（ｄ）に示すように複写機１の側面かつ手差しトレイ下部の軸を回転軸として、手差しトレイ上部を回動させながら開く構成である。
しかし、手差しトレイ６１を開いたときの原稿搬送方向の長さが異なる。従来の手差しトレイは、ＡＤＦ５や複写機１の小型化のため図５（ｂ）に示すようにカードＣを載置するための十分な載置面積を有していないのに対し、本実施例の手差しトレイ６１では、カードＣを載置するためのカード載置部７２は十分な載置面積を有している。また、同時にユーザにとってカード載置部７２がカードＣの載置箇所であること、また、カードＣの搬送方向が分かり易く、図４（ｂ）を用いて説明した従来構成のように、ユーザがカードＣの載置場所に迷うこともない。
本実施例の手差しトレイ６１では、カード載置部７２が段差部として形成されているので、載置するときの視認性を向上することができ、カード載置部７２の載置位置の視認性が悪くユーザの手のぶれ等を誘発してカードＣ等の原稿が傾いて載置されることを抑制できる。加えて、カード載置部７２がカードＣを載置するための十分な載置面積を有しているので、載置するときの視認性をさらに向上することもできる。
【００２７】
そして、カードＣの幅方向の規制は、図５（ｅ）に示す従来構成が操作性を優先して変位し易いサイドフェンスで行うのに対して、本実施例が図５（ｂ）に示すように載置するときの手の振れ等の影響を受けないカードＣ等の幅方向間距離と略一致する原稿載置幅をもつ段差部（凹み部）としてのカード載置部７２の側面で行う。
このように、本実施例の手差しトレイ６１では、カードＣ等の幅方向の規制を、カードＣの幅方向間距離と略一致するカード載置部７２の側面で行えるので、簡単な構成で、カード等の硬く、狭い原稿を載置する場合であっても、給送時の原稿の傾きを低減できる。
【００２８】
つまり、カードＣ等の原稿の幅方向の移動規制を、カードＣ等の硬い原稿を載置する場合であっても、変位し難い原稿の幅方向間距離と略一致する原稿載置幅をもつカード載置部７２の側面で行うという簡単な構成にできる。
よって、簡単な構成で、カードＣ等の硬い原稿を載置する場合であっても、給送時のカードＣ等の傾きを低減できるＡＤＦ５を提供できる。
加えて、載置するときの視認性を向上することができ、カード載置部７２の載置位置の視認性が悪くユーザの手のぶれ等を誘発して原稿が傾いて載置されることを抑制できる。
また、カード載置部７２がカードＣを載置するための十分な載置面積を有するように構成することで、載置するときの視認性をさらに向上させることもできる。
【００２９】
また、上述したように構成することで、図５（ｆ）に示すようにカードＣ等を載置するときのユーザの操作スペースが大きくなってしまう従来構成とは異なり、図５（ｃ）に示すように、カードＣ等を載置するときのユーザの操作スペースを小さくすることができる。すなわち、手差しトレイ６１を開いた場合のＡＤＦ５本体や複写機１の大きさは、本実施例の構成のほうが、従来構成の場合と比較して大きくなってしまうが、図５（ｃ）、図５（ｆ）に示すように操作スペースまで含めると本実施例の方が小さくて済む。
この理由として、本実施例の構成では、カード載置部７２の副走査方向長さと手差しトレイ６１の副走査方向の長さを略等しくすることで手差しトレイ６１を開いてカードＣ等を搬送するときの操作スペースはカードＣ等の副走査長さ程度で済む。これに対して、従来構成ではカード等の後端部を左手で挟んで把持して後端部からカード等の原稿を搬送方向に押す必要があるため、操作スペースはカード等の原稿の副走査長さに加えて左手の分だけ多く必要になるためである。
【００３０】
また、本実施例の手差しトレイ６１では、図６（ａ）に示すように、カードＣ等を載置するカード載置部７２の少なくともいずれかの端部近傍と、カード載置部７２が設けられていない原稿の載置面の一部とを跨いで形成された凹部である指引掛け部７３を有する。
具体的には、手差しトレイ６１は、カードＣ等の原稿よりも大きい原稿を載置する原稿載置面７１よりも低い凹面が形成されているカード載置部７２と、このカード載置部７２よりもさらに低い凹部である指引掛け部７３を有する。
また、指引掛け部７３の形状の例としては、図６（ｂ）に示すａ―ａ断面位置で見ると、図６（ｃ）に示すように、円弧状の断面を有した穴形状や、矩形状の断面、つまり凹み部の底形状が面の穴形状を挙げることができる。また、これらのような穴形状をした指引掛け部７３ではなく、同様な平面範囲を持つ孔形状としても良い。
【００３１】
また、図７（ａ）や図７（ｂ）に示すカード載置部７２の上面はカードＣ等の原稿を載置するための面であり、指引掛け部７３はカード載置部７２の上面に載置されたカードＣ等の原稿の出し入れをしやすくするため、ユーザの指をカードＣ等の底面の下部に潜り込ませてカードＣ等を引っ掛けるためのものである。また、カードＣ等の原稿を底面から支持するため、図７（ａ）や図７（ｂ）に示すように、指引掛け部７３の少なくとも一部はカードＣ等の原稿の外縁に対してカードＣ等の内部側までかかっている。
これによれば、次のような効果を奏することができる。
カードＣ等の載置位置に対してさらに凹部や孔部を設けることで、これらの凹部や孔部にユーザの指を入れ、カード載置部７２の載置面に載置された原稿を底面からすくいあげる動作を可能にでき、載置面に載置されたカードＣ等の原稿の交換性を向上させることができる。
ここで、指引掛け部７３の形状としては、図７（ａ）に示す底部が円弧状の断面を有した穴形状とした例や、図７（ｂ）に示す底部が矩形状の断面を有した穴形状とした例が挙げられ、これらの他にも指引掛け部７３自体を底部が無い孔形状としても良い。
【００３２】
また、手差しトレイ６１に設ける、上述した指引掛け部７３や孔部は、図８（ａ）に示すように、段差部としてのカード載置部７２の原稿搬送方向の後端側に形成されている。
このように配置することで、図８（ｂ）に示すように指引掛け部７３や孔部をＡＤＦ５の本体又は複写機１の本体に近い側に配置するよりも、図８（ａ）に示すように指引掛け部７３や孔部がＡＤＦ５の本体又は複写機１の本体から遠くなる。このため、ユーザがカードＣ等の原稿を交換するときの作業空間、つまり操作スペースが大きくなり、ユーザの作業時の自由度が高くできる。
【００３３】
また、手差しトレイ６１に設ける、上述した手差しサイドフェンス６５、及び手差しトレイ６１の原稿搬送方向の後端位置は、カード載置部７２の原稿搬送方向の後端位置と略一致するように構成しても良い。
このように構成することで、カードＣ等の原稿の搬送方向を規制する規制力を備えると同時に、手差しトレイ６１の小型化を実現できる。
【００３４】
また、手差しトレイ６１をＡＤＦ５本体に対して着脱可能に構成することもできる。
このように構成することで、次のような効果を奏することができる。
カードサイズの原稿を使用しない場合でもカードサイズより大きい原稿を搬送するときには手差しトレイ６１を開く必要がある。したがって、カードサイズの原稿を使用しない場合であって、手差しトレイ６１を取り外し可能とすることで、手差しトレイ６１の分だけＡＤＦ５のサイズを小さくすることができる。
【００３５】
また、上述した図５等に示すカード載置部７２の載置面に記された原稿の種別や矢印記号は、これらが形成されたシールを貼り付けることで構成できる。例えば、図５等に示す「カード」の他にも、「ＣＡＲＤ」もしくは「名刺」もしくは「ＢＵＳＩＮＥＳＳ  ＣＡＲＤ」及びそれらの組み合わせの文字や、矢印記号が印刷されたシールを貼り付けることで構成できる。
このように構成することで、カード載置部７２の原稿載置位置の視認性を向上させるにあたり、文字のフォントやレイアウトなど自由度を高くできる。
また、上述した図５等に示すカード載置部７２の載置面に記された原稿の搬送方向を示す矢印記号は、これが形成されたシールを貼り付けることで構成できる。
このように構成することで、カードＣ等の原稿の搬送方向を表す矢印の視認性を向上させるにあたり、矢印の形状やレイアウトなど自由度が高くなるという利点がある。
【００３６】
また、シート原稿ＳやカードＣ等の読み取る原稿を自動搬送する自動原稿搬送手段を備える読取装置６において、自動原稿搬送手段として上述したいずれかのＡＤＦ５を備えることで、上述したいずれかのＡＤＦ５と同様な効果を奏することができる。
また、シート原稿ＳやカードＣ等の読み取る原稿を自動搬送する自動原稿搬送手段を備えた複写機１において、自動原稿搬送手段として上述したいずれかのＡＤＦ５を備えることで、上述したいずれかのＡＤＦ５と同様な効果を奏することができる。
【００３７】
（実施例２）
次に、本実施形態のＡＤＦ５（読取装置６）に設けた手差しトレイ６１の実施例２について、図を用いて説明する。
ここで、本実施例のＡＤＦ５に設けた手差しトレイ６１は、上述した実施例１のものと、カードＣに設けられたＩＣチップを読み取るチップ読取装置（カードリーダー）８０を手差しトレイ６１に設けたことに係る点のみ異なる。したがって、以下の本実施例の説明では、チップ読取装置８０を手差しトレイ６１に設けたことに係る点に関する説明のみを行う。
図１０は、カードＣに設けられたＩＣチップを読み取るチップ読取装置８０を手差しトレイ６１に設けた構成の説明図であり、図１０の右図が複写機１の全体斜視図、図１０の左図が手差しトレイ６１の拡大斜視図である。
【００３８】
図１０の右図に示す複写機１に設けるＡＤＦ５の手差しトレイ６１は、図１０の左図に示すように、ＩＣチップが設けられたカードＣのＩＣチップに記録された情報を読み取るチップ読取装置８０を、手差しトレイ６１に有している。
このように構成することで、次のような効果を奏することができる。
近年、高齢化が進むなかで、病院にかかる患者数は依然として多く、混雑緩和のため窓口業務の効率化が求められている。
病院など医療機関の窓口業務では、診察券発行の際の身分証などカード表面をスキャンする需要だけでなく、診察券のスキャンなどのように、カード内部の情報を読み取る需要も存在する。
【００３９】
そこで、本実施例の構成は、上述したカードＣ表面のスキャンに加え、カードＣ表面のスキャン時に載置する場所と同位置にカードＣを載置することでカードＣの内部情報を読み取る機能を付加するものである。
カード載置部７２の載置面に載置したカードＣを段差部の底部（凹み部）の内部に有することができるため、チップ読取装置８０を読取装置６（ＡＤＦ５）と別に設けるよりも省スペース化できる。
また、身分証などのカードＣ表面のスキャンをする時は本実施例の読取装置６、診察券などカードＣの内部情報を読み取る時は別の機器であるよりも、表面スキャンも内部情報の読取も機器及び載置場所が同一であれば混乱が少なく、業務の効率化も図ることができる。
【００４０】
また、その具体的な構成としては、図１０の左図に示すように、ＩＣチップが設けられたカードＣのＩＣチップに記録された情報を読み取るチップ読取装置８０を、手差しトレイ６１に内蔵することが好ましい。
このようにＩＣチップに記録された情報を読み取る手段を手差しトレイ６１内部に有することで、さらなる省スペース化を図ることができる。
【００４１】
（実施例３）
次に、本実施形態のＡＤＦ５（読取装置６）に設けた手差しトレイ６１の実施例３について、図を用いて説明する。
ここで、本実施例のＡＤＦ５に設けた手差しトレイ６１は、上述した実施例１、２のものと、カード載置部７２の載置面に記す文字や記号等の形成方法に係る点のみ異なる。したがって、以下の本実施例の説明では、カード載置部７２の載置面に記す文字や記号等の形成方法に係る点に関する説明のみを行う。
【００４２】
図１１は、カード載置部７２の載置位置に、載置する原稿の種別を示す文字や矢印記号を形成する線状の凹部を設けた例の説明図である。そして、図１１（ａ）が上面配置説明図、図１１（ｂ）が図１１（ｃ）に示すカード載置部７２近傍の断面位置の説明図、図１１（ｃ）が図１１（ｂ）に示した断面位置近傍のカード載置部７２近傍の説明図である。
図１２は、カード載置部７２の載置位置に、原稿搬送方向を示す矢印記号を形成する線状の凹部を有する構成の説明図である。そして、図１２（ａ）が図１２（ｂ）に示すカード載置部７２近傍の断面位置の説明図、図１２（ｂ）が図１２（ａ）に示した断面位置近傍のカード載置部７２近傍の説明図である。
【００４３】
本実施例のＡＤＦ５に設けた手差しトレイ６１は、カード載置部７２のカードＣ等の原稿の載置位置には、載置するカードなどの種別を示す文字や矢印記号等を形成する線状の凹部を有している。
具体的には、カードＣ等の原稿の載置位置、及び挿入口を明示するため、図１１（ａ）に示すように“カード”の文字及びカードＣ等の原稿の外縁、原稿搬送方向を示す矢印記号の模様等に沿って線状の凹形状を形成して凹凸の立体感を持たせている。すなわち、カードＣ等の原稿もしくは名刺載置位置に「カード」の他に、「ＣＡＲＤ」もしくは「名刺」もしくは「ＢＵＳＩＮＥＳＳ  ＣＡＲＤ」、及びそれらの組み合わせの文字及び矢印記号等を形成する線状の凹部を有することで、凹凸の立体感を持たせている。
【００４４】
このように立体感を持たせることで、従来の構成よりもユーザが“カード”の文字及びカードＣ等の原稿、矢印記号の模様を視認し易くできる。
より具体的な構成としては、例えば、図１１（ｂ）に示すｂ−ｂ断面では、図１１（ｃ）に示すような断面となる。この断面では、“カード”の文字を文字凹形状９１で形成し、原稿の外縁を外縁凹形状９２で形成している。
このように構成することで、カードＣ等の原稿の載置位置の視認性を向上させるにあたり、加工で溝を形成するため経年劣化やユーザの使用による摩擦等で文字等が消えてしまうことがない。
【００４５】
また、本実施例のＡＤＦ５に設けた手差しトレイ６１は、図１２（ａ）、図１２（ｂ）に示すように、カード載置部７２のカードＣ等の原稿の載置位置には、載置するカードＣ等の原稿の搬送方向を示す矢印記号を形成する線状の凹部を有している。
具体的な構成としては、例えば、図１２（ａ）に示すｃ−ｃ断面では、図１２（ｂ）に示すような断面となる。この断面では、矢印記号を記号凹形状９３で形成し、原稿の外縁を外縁凹形状９２で形成している。
このように構成することで、カードＣ等の原稿の搬送方向を表す矢印記号の視認性を向上させるにあたり、加工で溝を形成しているため経年劣化によって線が消えないという利点がある。
【００４６】
（実施例４）
次に、本実施形態のＡＤＦ５（読取装置６）に設けた手差しトレイ６１の実施例４について、図を用いて説明する。
ここで、本実施例のＡＤＦ５に設けた手差しトレイ６１は、上述した実施例１〜３のものと、カード載置部７２のカードＣ等の原稿を原稿搬送方向後端側で支持する原稿支持に係る点のみ異なる。したがって、以下の本実施例の説明では、カード載置部７２のカードＣ等の原稿を原稿搬送方向後端側で支持する原稿支持に係る点に関する説明のみを行う。
【００４７】
図１３は、カード載置部７２の載置位置に、カードＣ等を載置するときの支持の必要性についての説明図であり、図１２（ａ）がカードＣ等をユーザの手で支持した場合、図１２（ｂ）がカードＣ等をユーザの手で支持していない場合の説明図である。
図１４は、カード載置部７２の原稿搬送方向の後端側に支持部を設ける例の説明図であり、図１４（ａ）が原稿支持部７４を設ける構成の説明図、図１４（ｂ）が原稿支持部としてカード載置部７２の原稿後端接触面（側面）７５を残す構成の説明図である。
【００４８】
本実施例のＡＤＦ５に設けた手差しトレイ６１は、カード載置部７２のカードＣ等の原稿を原稿搬送方向後端側で支持するように構成している。
ここで、まず図１３を用いて、カード載置部７２のカードＣ等の原稿を原稿搬送方向後端側で支持する必要性について説明する。
図１３（ａ）、図１３（ｂ）に示すように、プラスチックカードや名刺のカードＣ等の原稿をスキャンするときには、平面（直線）状の手差し原稿搬送経路６４を要する。また、構造的に排紙部近傍の経路は紙等のシート原稿Ｓと搬送経路を共有する関係で、必然的に手差しするカードＣ等の原稿の搬送経路は高さ方向に傾斜（図中、θ＞０）を有する構成となる。
【００４９】
上述した構成で、例えば、手差しトレイ６１にカードＣを載置しておくためには図１３（ａ）に示すように、ユーザがカードＣを手で支持している必要がある。この構成だとユーザが原稿を載置した後すぐにスキャンするか、もしくは原稿載置後に操作パネル２００（図１等参照）を操作するとき、片手で原稿を支持しながらの操作になるためユーザへの負担が大きくなる。
また、上述したように手差しトレイ６１が傾斜しているため、手で支持していないと図１３（ｂ）に示すように原稿であるカードＣが落下してしまい、原稿を紛失したり、落下の衝撃等で原稿を傷めてしまう恐れがある。
そこで、本実施例の構成では、ユーザがカードＣ等の原稿を支持する負担を取り除くために、図１４（ａ）や図１４（ｂ）に示すように、手差しトレイ６１に原稿を支持する支持部を設けることとした。
【００５０】
具体的な構成としては、例えば、図１３（ａ）に示すように、手差しトレイ６１のカード載置部７２の原稿搬送方向の後端側に原稿支持部７４を設けることができる。この原稿支持部の高さは、θだけ傾斜した手差しトレイ６１のカード載置部７２からカードＣ等の原稿が脱落しない程度の高さで構成すれば良い。
このように構成することで、ユーザが手で支持することなく、カードＣ等の原稿を手差しトレイ６１上に載置しておくことができる。したがって、操作者がスキャン時以外でもカードＣ等の原稿を載置したままの状態にできることで、カードＣ等の原稿を別の場所に置いて紛失することを防止したり、スキャン時にカードＣ等の原稿を載置した状態で操作パネル２００を操作したりでき、より作業時の自由度が向上する。
【００５１】
また、例えば、図１３（ｂ）に示すように、手差しトレイ６１のカード載置部７２の原稿搬送方向の後端側に、カード載置部７２が設けられていない原稿載置面７１を原稿搬送方向の後端側に残すことで形成している。具体的には、カード載置部７２の原稿搬送方向の後端側の側面を原稿後端接触面７５とすることで、カードＣ等の原稿を支持している。
このように構成することで、図１３（ａ）を用いて説明した構成の効果を安価な方法で実現することが可能となる。
【００５２】
以上、本実施形態について、図面を参照しながら説明してきたが、具体的な構成は、上述した本実施形態の手差しトレイ６１を備えた構成に限られるものではなく、要旨を逸脱しない範囲の設計の変更等を行っても良い。
本実施形態では、電子写真方式の複写機１の読取装置６有するＡＤＦ５の手差しトレイ６１に適用した例について説明したが、このような構成に限定されるものではなく、例えば、インクジェット方式（ジェルジェット方式）の複写機にも、適用可能である。
また、読取装置６有するＡＤＦ５の手差しトレイ６１に適用した例について説明したが、このような構成に限定されるものではなく、例えば、カード等を含むシートを給送するシート給送装置にも、適用可能である。
【００５３】
以上に説明したものは一例であり、次の態様毎に特有の効果を奏する。
（態様Ａ）
原稿搬送経路５５などの搬送経路の中途部近傍に開閉可能に設けられ、開いた状態でカードＣなどの原稿を積載する手差しトレイ６１などの原稿トレイと、該原稿トレイに積載された原稿を手差し原稿搬送経路６４などの前記中途部の原稿搬送方向下流側の前記搬送経路に向けて給送する手差し給送口６２などの給送口と、を備えるＡＤＦ５などの自動原稿搬送装置において、前記原稿トレイには、少なくとも所定の幅をもつシート原稿Ｓなどの原稿を載置する原稿載置面７１などの原稿載置面に、前記所定の幅よりも幅が狭いカードＣなどの原稿の幅方向間距離と略一致する原稿載置幅をもつカード載置部７２などの段差部が設けられていることを特徴とする。
【００５４】
これによれば、次のような効果を奏することができる。
所定の幅よりも幅が狭い原稿の幅方向の移動規制を、カードＣ等の硬い原稿を載置する場合であっても、変位し難い原稿の幅方向間距離と略一致する原稿載置幅をもつ段差部の側面で行うという簡単な構成にできる。
よって、簡単な構成で、カード等の硬い原稿を載置する場合であっても、給送時の原稿の傾きを低減できる自動原稿搬送装置を提供できる。
【００５５】
（態様Ｂ）
（態様Ａ）において、前記原稿トレイに載置される原稿にはＩＣチップが設けられたカードを含み、チップ読取装置８０などの該カードのＩＣチップに記録された情報を読み取る手段を、前記原稿トレイに有することを特徴とする。
【００５６】
これによれば、次のような効果を奏することができる。
原稿トレイに載置するカードＣなどのカードを段差部の底部（凹み部）の内部に有することができるため、カードのＩＣチップに記録された情報を読み取る手段を、ＡＤＦ５を設けた読取装置６などの原稿読取装置と別に設けるよりも省スペース化できる。
また、身分証などのカードＣ表面のスキャンをする時は原稿読取装置、診察券などカードＣの内部情報を読み取る時は別の機器であるよりも、表面スキャンも内部情報の読み取りも機器及び載置場所が同一であれば混乱が少なく、業務の効率化も図ることができる。
【００５７】
（態様Ｃ）
（態様Ａ）又は（態様Ｂ）において、前記段差部に載置される原稿にはＩＣチップが設けられたカードを含み、該カードのＩＣチップに記録された情報を読み取る手段を、前記原稿トレイに内蔵していることを特徴とする。
これによれば、ＩＣチップに記録された情報を読み取る手段を原稿トレイ内部に有することで、さらなる省スペース化を図ることができる。
【００５８】
（態様Ｄ）
（態様Ａ）乃至（態様Ｃ）のいずれかにおいて、前記原稿トレイが着脱可能に構成されていることを特徴とする。
これによれば、次のような効果を奏することができる。
カードサイズの原稿を使用しない場合でもカードサイズより大きい原稿を搬送するときには原稿トレイを開く必要がある。したがって、カードサイズの原稿を使用しない場合であって、原稿トレイを取り外し可能とすることで、原稿トレイの分だけマシンサイズを小さくすることができる。
【００５９】
（態様Ｅ）
（態様Ａ）乃至（態様Ｄ）のいずれかにおいて、前記段差部の原稿の載置位置には、載置する原稿の種別を示す文字や矢印記号などの記号を形成する線状の凹部を有することを特徴とする。
これによれば、次のような効果を奏することができる。
段差部の原稿の載置位置の視認性を向上させるにあたり、加工で溝を形成するため経年劣化やユーザの使用による摩擦等で文字が消えてしまうことがない。
【００６０】
（態様Ｆ）
（態様Ａ）乃至（態様Ｄ）のいずれかにおいて、前記段差部の原稿の載置位置には、載置する原稿の種別を示す文字や矢印記号などの記号が形成されたシールが貼り付けられていることを特徴とする。
これによれば、次のような効果を奏することができる。
段差部の原稿の載置位置の視認性を向上させるにあたり、文字のフォントやレイアウトなど自由度を高くできる。
【００６１】
（態様Ｇ）
（態様Ａ）乃至（態様Ｆ）のいずれかにおいて、前記少なくとも所定の幅をもつ原稿の原稿搬送方向を規制する手差しサイドフェンス６５などの規制部材、及び前記原稿トレイの原稿搬送方向の後端位置は、前記段差部の原稿搬送方向の後端位置と略一致していることを特徴とする。
これによれば、原稿の搬送方向を規制する規制力を備えると同時に、原稿トレイの小型化を実現できる。
【００６２】
（態様Ｈ）
（態様Ａ）乃至（態様Ｇ）のいずれかにおいて、原稿を載置する前記段差部の少なくともいずれかの端部近傍と、前記段差部が設けられていない前記原稿載置面の一部とを跨いで形成された指引掛け部７３などの凹部又は孔部を有することを特徴とする。
これによれば、次のような効果を奏することができる。
カードＣ等の原稿の載置位置（凹み部）に対してさらに凹部や孔部を設けることで、これらの凹部や孔部にユーザの指を入れ、載置されたカードＣ等の原稿を底面からすくいあげる動作を可能にでき、載置されたカードＣ等の原稿の交換性を向上させることができる。
【００６３】
（態様Ｉ）
（態様Ｈ）において、前記凹部又は前記孔部は、前記段差部の原稿搬送方向の後端側に形成されていることを特徴とする。
これによれば、次のような効果を奏することができる。
凹部もしくは孔部が装置本体から遠い場所にあるため、ユーザが原稿を交換するときの作業空間、つまり操作スペースが大きくなり、作業者の作業時の自由度を高くできる。
【００６４】
（態様Ｊ）
（態様Ａ）乃至（態様Ｉ）のいずれかにおいて、前記段差部の原稿の載置位置には、載置する原稿の搬送方向を示す矢印記号を形成する線状の凹部を有することを特徴とする。
これによれば、次のような効果を奏することができる。
カードＣ等の原稿の搬送方向を表す矢印記号の視認性を向上させるにあたり、加工で溝を形成しているため経年劣化によって線が消えないという利点がある。
【００６５】
（態様Ｋ）
（態様Ａ）乃至（態様Ｉ）のいずれかにおいて、前記段差部の原稿の載置位置には、載置する原稿の搬送方向を示す矢印記号が形成されたシールが貼り付けられていることを特徴とする。
これによれば、次のような効果を奏することができる。
カードＣ等の原稿の搬送方向を表す矢印の視認性を向上させるにあたり、矢印の形状やレイアウトなど自由度が高くなるという利点がある。
【００６６】
（態様Ｌ）
（態様Ａ）乃至（態様Ｋ）のいずれかにおいて、前記段差部の原稿搬送方向の後端部には、原稿の落下を抑制する支持部を有していることを特徴とする。
これによれば、次のような効果を奏することができる。
ユーザなどの操作者が手で支持することなく、カードＣ等の原稿を原稿トレイ上に載置しておくことができる。したがって、操作者がスキャン時以外でもカードＣ等の原稿を載置したままの状態にできることで、カードＣ等の原稿を別の場所に置いて紛失することを防止したり、スキャン時に原稿を載置した状態で操作パネル２００などの操作パネルを操作したりでき、より作業時の自由度が向上する。
【００６７】
（態様Ｍ）
（態様Ｌ）において、前記支持部は、前記段差部が設けられていない前記原稿載置面を原稿搬送方向の後端側に残すことで形成されていることを特徴とする。
これによれば、（態様Ｌ）の効果を、安価な方法で実現することが可能となる。
【００６８】
（態様Ｎ）
シート原稿ＳやカードＣなどの読み取る原稿を自動搬送する自動原稿搬送手段を備える読取装置６などの原稿読取装置において、前記自動原稿搬送手段として、（態様Ａ）乃至（態様Ｍ）のいずれかのＡＤＦ５などの自動原稿搬送装置を備えることを特徴とする。
これによれば、（態様Ａ）乃至（態様Ｍ）のいずれかの自動原稿搬送装置と同様な効果を奏することができる原稿読取装置を提供できる。
【００６９】
（態様Ｏ）
シート原稿ＳやカードＣなどの原稿を自動搬送する自動原稿搬送手段を備えた複写機１などの画像形成装置において、前記自動原稿搬送手段として、（態様Ａ）乃至（態様Ｍ）のいずれかのＡＤＦ５などの自動原稿搬送装置を備えることを特徴とする。
これによれば、（態様Ａ）乃至（態様Ｍ）のいずれかの自動原稿搬送装置と同様な効果を奏することができる画像形成装置を提供できる。
【符号の説明】
【００７０】
１    複写機
３    画像形成部
４    画像読取部
５    ＡＤＦ
６    読取装置
７    カード挿入口
５１    原稿トレイ
５２    第一給送口
５３    第一センサ
５４    給紙・分離機構
５５    原稿搬送経路
５６    排紙トレイ
６１    手差しトレイ
６２    手差し給送口
６３    手差し検知センサ
６４    手差し原稿搬送経路
６５    手差しサイドフェンス
７１    原稿載置面
７２    カード載置部
７３    指引掛け部
７４    原稿支持部
７５    原稿後端接触面
８０    チップ読取装置
９１    文字凹形状
９２    外縁凹形状
９３    記号凹形状
２００    操作パネル
Ｃ    カード
Ｓ    シート原稿
【先行技術文献】
【特許文献】
【００７１】
【特許文献１】特開２０１７−０９８９５１号公報
【特許文献２】特許第４４５６０２６号公報
【図１】
2019137540.tif 000003
【図２】
2019137540.tif 000004
【図３】
2019137540.tif 000005
【図４】
2019137540.tif 000006
【図５】
2019137540.tif 000007
【図６】
2019137540.tif 000008
【図７】
2019137540.tif 000009
【図８】
2019137540.tif 000010
【図９】
2019137540.tif 000011
【図１０】
2019137540.tif 000012
【図１１】
2019137540.tif 000013
【図１２】
2019137540.tif 000014
【図１３】
2019137540.tif 000015
【図１４】
2019137540.tif 000016